(57)【要約】【課題】  本発明は、照明具に装着した状態で、照明灯が点灯しているときは、照明灯の光により照明され、消灯後は長時間に亘って蓄光層の発光により照明することが出来る照明具の発光体を提供するものである。【解決手段】  透明円柱体２の中に軸線方向を向く多面反射体３を設け、かつ透明円柱体３の外周に、蓄光剤を含む蓄光層４を形成する。【選択図】  図１
2013225407.tif 000002
【特許請求の範囲】
【請求項１】
透明円柱体の中心部に、軸線方向を向く多面反射体を設け、かつ透明円柱体の外周に、蓄光剤を含む蓄光層を形成してなることを特徴とする照明具の発光体。
【請求項２】
前記蓄光層に、色素を含む樹脂の着色条が形成されていることを特徴とする請求項１に記載の照明具の発光体。
【請求項３】
前記蓄光層は、軸線方向を向く複数の条状であることを特徴とする請求項１または２に記載の照明具の発光体。
【請求項４】
前記蓄光層を、透明円柱体とは別体の管状に成形し、これを透明円柱体に外嵌固定したことを特徴とする請求項１または２に記載の照明具の発光体。
【請求項５】
管状蓄光層に、色素を含む樹脂による着色条を形成してなることを特徴とする請求項４に記載の照明具の発光体。
【請求項６】
前記蓄光層を、透明円柱体の軸線方向に間欠的に形成してなることを特徴とする請求項４または５に記載の照明具の発光体。
【請求項７】
前記多面反射体は、蓄光剤が含まれていることを特徴とする請求項１〜６の何れかに記載の照明具の発光体。
【発明の詳細な説明】
【技術分野】
【０００１】
本発明は、照明具の発光体に係り、電光と蓄光により発光する照明具の発光体に関する。
【背景技術】
【０００２】
発光ダイオードの点状光線を、入斜角と異なる方向へ反射させる照明具は、特許文献１に開示されている。      
【先行技術文献】
【特許文献】
【０００３】
【特許文献１】特開２００３−３４６５０６公報
【発明の概要】
【発明が解決しようとする課題】
【０００４】
前記、特許文献１に記載の発明においては、アクリル樹脂の導光棒の中心部に、軸方向に長い多面反射体が形成されており、発光ダイオードの光が、導光棒の一端部に直接当るようにして器具に装着してある。
点灯すると、光は、導光棒の内周面に反射しながら導光棒を通過して、その自由端から放射されるが、導光棒の中の多面反射体に反射する光は、導光棒の側面方向に反射して、多面反射体の長手一杯の反射光を出すものであり、消灯すると反射光も消滅する。
本発明は、照明器具に装着した状態で照明灯が点灯しているときは、照明灯の光により照明され、消灯後は、長時間に亘って、蓄光層の発光によって照明するようにした照明具の発光体を提供するものである。
【課題を解決するための手段】
【０００５】
本発明の具体的な内容は、次の通りである。
【０００６】
（１）  透明円柱体の中心部に、軸線方向を向く多面反射体を設け、かつ透明円柱体の外周に、蓄光剤を含む蓄光層を形成してなる照明具の発光体。
【０００７】
（２）  前記蓄光層に、色素を含む樹脂の着色条が形成されている前記（1）に記載の照明具の発光体。
【０００８】
（３）  前記蓄光層は、軸線方向を向く複数の条状である前記（1）または（2）に記載の照明具の発光体。
【０００９】
（４）  前記蓄光層を、透明円柱体とは別体の管状に成形し、これを透明円柱体に外嵌固定した前記（1）または（2）に記載の照明具の発光体。
【００１０】
（５）  管状蓄光層に、色素を含む樹脂による着色条を形成してなる前記（4）に記載の照明具の発光体。
【００１１】
（６）  前記蓄光層を、透明円柱体の軸線方向に間欠的に形成してなる前記（4）または（5）に記載の照明具の発光体。
【００１２】
（７）  前記多面反射体は、蓄光剤が含まれている前記（1）〜（6）の何れかに記載の照明具の発光体。
【発明の効果】
【００１３】
本発明によると次のような効果が奏せられる。
【００１４】
前記（1）に記載の発光体は、照明具のＬＥＤなどの光を、透明円柱体の軸線方向に透過させ、反射体から反射光を側面方向に放射することによって、蓄光層に蛍光を発光させる。
この発光が一定の時間経過して、蓄光層に光エネルギーが蓄積されると、照明具が消灯されても、蓄光層が長時間の発光を持続させるので、電力の消費を軽減させることができる。
【００１５】
前記（2）に記載の発光体は、蓄光層に、色素を含む着色条が形成されているため、蛍光の中に、色素による変った着色条の光を放つことができるので、装飾効果を高めることができる。
【００１６】
前記（3）に記載の発光体は、蓄光層が軸方向を向く複数の条状であるから、照明具が点灯すると、透明な部分の条状の反射光と、蓄光層による条状の蛍光とが同時に放光されて雅趣ある照明をすることができる。また消灯すると、蓄光層部分が条状に長時間、蛍光を放つ。
【００１７】
前記（4）に記載の発光体は、蓄光層を管状に成形して、透明円柱体に嵌合してあるので、管状蓄光層を裁断して、その複数を透明円柱体に、間欠的に嵌装させることによって、透明円柱体の部分の強い光と、管状蓄光層の蛍光の光とが混在する照明をすることができる。
【００１８】
前記（5）に記載の発光体は、管状の蓄光層に、色素による着色条が形成されているので、裁断して透明円柱体に、着色条の位置を変えながら複数を嵌装すると、全体として趣のある照明をすることができる。
【００１９】
前記（6）に記載の発光体は、蓄光層が透明円柱体の軸方向で間欠的に形成されるので、透明円柱体の中の反射体による強い反射光の照明と、蓄光層の蛍光とによる異なった照明をさせることができる。
【００２０】
前記（7）に記載の発光体は、透明円柱体の中の多面反射体に、蓄光剤が含まれているので、照明具が消灯されても、多面反射体が蓄光剤の発光により照明する。
【図面の簡単な説明】
【００２１】
【図１】本発明の照明具の発光体の実施例１の縦断側面図である。
【図２】図１における、II-II線縦断面図である。
【図３】図１の発光体を照明具に装着した状態を示す縦断側面図である。
【図４】本発明の照明具の発光体の実施例２の側面図である。
【図５】本発明の実施例３における発光体の管状蓄光層を示す斜視図である
【発明を実施するための形態】
【００２２】
以下本発明を、図面を参照して説明する。
【実施例１】
【００２３】
図１において、照明具の発光体１は、硬質樹脂、例えばアクリル樹脂の透明円柱体２の中心部に、図２に示す様な白色棒状の多面反射体３を、押出成形による一体成形で形成されている。多面反射体３の断面は、＋字形状が示してあるが、平板形状、三叉状等、使用目的によって任意所望の形状とされる。  
【００２４】
透明円柱体２の外周には、蓄光剤を樹脂に混合した蓄光層４が環状に一体形成されている。蓄光層４は、透明円柱体２の全面に形成してもよいが、図１に示すように間隔を開けた間欠状としておくと、多面反射体３に反射して透明円柱体２から放射される強い光と、蓄光層４の発光による蛍光とを同時に見ることができ、かつ全体として高い光度で放射される。
【００２５】
図３は、透明円柱体２の一端を、照明具５の嵌合孔５Ａに装着した状態を示している。照明具５は、筒状ケース５Ｂの基部内に電源６を内装し、中間部にLED７を設け、かつその前方に、透明円柱体２に対する嵌合孔５Ａを形成したものである。電源６とLED７の間にスイッチ８が設けられ、電源６は、乾電池、蓄電池、その他適宜選択される。
【００２６】
スイッチ８を入れてLED７を発光させると、光は多面反射体３と透明円柱体２の内面との間を、反射しながら、先端へ通過するが、その過程で、多面反射体３に反射した光は、蓄光層４を発光させ、かつ先端２ＡからLED７の光を放射する。
【００２７】
このように、点灯すると、暗い場所で蓄光層４が発光する。点灯を数分間継続していると、消灯後、蓄光層４に蓄積された光エネルギーによって、数時間は発光するので、少量の消費電力をもって長時間の照明をすることができる。
【００２８】
また、日中に蓄光層４を太陽光に晒しておくと、夜間に発光させることができる。従って、懐中電灯或いは、蓄光のみによる警告灯等として使用することができる。前記多面反射体３は、蓄光剤を混合しておくことによって、消灯後に蛍光による発光をするので、より明るくすることができる。
【実施例２】
【００２９】
図４は、照明具の発光体の実施例２の側面図である。前例と同じ部材には、同じ符号を付して説明を省略する。この実施例２においては、蓄光層４の一部に、軸線方向の着色条４Ａを形成してある。
【００３０】
全体が押出成形されたもので、着色条４Ａの部分は、例えば赤、黄、青、その他の着色剤を混合した樹脂を押出して一体に形成される。色は、単色でもよいし、異色の数条としてもよい。用途として、例えば祭礼などで、神社や商店街などで吊設したり、ハンドバックや携帯電話等の装飾具としたりすることができる。
【００３１】
着色条４Ａに変えて、金属やガラスなどの反射材を樹脂に混合した反射条、或いは透明の条としてもよい。
また蓄光層４は、透明円柱体２の周面に複数の条状に形成して、透明部分とで縞状にすると、反射光の縞と蛍光の縞とによる照明をする事ができる。
【実施例３】
【００３２】
図５は、発光体の実施例３における、着脱可能な管状蓄光層44の斜視図である。前例と同じ部材には、同じ符号を付して説明を省略する。
この管状蓄光層44は、蓄光剤を樹脂に混合して、管状に押出成形したものである。
【００３３】
これを、透明円柱体２における蓄光層４の形成されていない部分に被着する。  透明円柱体２全体に被着する他、間隔を設けて被着して、図１に示すように、蓄光層４のない個所で、透明円柱体２を露出させることもある。これによって、多面反射体３による光度の強い部分と、管状蓄光層44による蛍光の部分とを設けることができる。
【００３４】
蓄光剤は、微粉末では蓄光効果が低いため、ある程度の粒度の大きなものが必要である。管状蓄光層44は、厚い方が蓄光率が高くなるので、透明円柱体２の周面に、径の異なる管状蓄光層44を、二重以上に重ねて被覆させると、既製の透明円柱体における蓄光層の性能を向上させることができる。
【００３５】
尚、前記管状蓄光層44は、照明用だけに限定されず、例えばコウモリ傘の骨の上端に嵌装すること、釣具の浮子の上に細管を付けること、ビーズのように糸で綴って樹木の枝に付けること等、他の分野に広く利用することができる。
【産業上の利用可能性】
【００３６】
本発明の発光体は、LEDと組合わせることにより、小さな光で広い面積の照明をすることができる。また消灯しても、長時間に亘り蓄光による蛍光で、照明をすることが出来るので、広い範囲で照明用に利用できる。
【符号の説明】
【００３７】
１．照明具の発光体
２．透明円柱体
３．多面反射体
４．蓄光層
44．管状蓄光層
４Ａ．着色条
５．照明具
５Ａ．嵌合孔
５Ｂ．筒状ケース
６．電源
７．発光ダイオード
８．スイッチ
【図１】
2013225407.tif 000003
【図２】
2013225407.tif 000004
【図３】
2013225407.tif 000005
【図４】
2013225407.tif 000006
【図５】
2013225407.tif 000007